(57)【要約】【課題】被操作装置からリモコン装置へ大容量の情報を高品質に送信することができるリモコンシステムに用いられるリモコン装置と、被操作装置とを提供すること。【解決手段】テレビジョン受像機本体１１０（被操作装置）の受信部１１１は、受信した放送信号から音声信号と、映像信号とを抽出し、これらを電波送信部１１７へ伝達する。電波送信部１１７は、受信部１１１から伝達された音声信号と、映像信号とに圧縮などの各種信号処理を施した後、スペクトル拡散を施し、電波信号として送信する。リモコン送信機１２０の電波受信部１２１は、電波送信部１１７からの、スペクトル拡散が施された電波信号を受信し、該電波信号にスペクトル逆拡散を施し、音声信号を音声処理部１２２へ、映像信号を映像処理部１２３へ、それぞれ伝達する。そして、音声処理部１２２と、映像処理部１２３とによって、音声出力と、映像出力とが行われる。【選択図】図１
2007329540.tif 000002
【特許請求の範囲】
【請求項１】
赤外線信号を送信する赤外線送信部と、
電波信号を受信する電波受信部とを有し、
赤外線信号を受信する赤外線受信部と、電波信号を送信する電波送信部とを有する被操作装置に対する遠隔指令を行うリモコン装置であって、
前記電波受信部は、前記電波送信部より送信された、スペクトル拡散が施された電波信号を受信し、該電波信号にスペクトル逆拡散を施すことを特徴とするリモコン装置。
【請求項２】
前記電波送信部より送信され、前記電波受信部において受信された電波信号から音声信号を取得し、該音声信号に基づく音声出力を行う音声処理部を備えたことを特徴とする請求項１に記載のリモコン装置。
【請求項３】
前記被操作装置は音声出力のための動作を行うものであって、
前記電波送信部より送信され、前記電波受信部において受信された電波信号から、前記音声出力のための動作のオン・オフ状態を示す信号を取得し、
前記音声出力のための動作のオン・オフ状態を示す信号に応じて前記音声処理部を動作状態又は非動作状態に制御する音声処理制御部を備えたことを特徴とする請求項２に記載のリモコン装置。
【請求項４】
前記電波送信部より送信され、前記電波受信部において受信された電波信号から映像信号を取得し、該映像信号に基づく映像出力を行う映像処理部を備えたことを特徴とする請求項１から３いずれか１項に記載のリモコン装置。
【請求項５】
前記被操作装置は映像出力のための動作を行うものであって、
前記電波送信部より送信され、前記電波受信部において受信された電波信号から、前記映像出力のための動作のオン・オフ状態を示す信号を取得し、
前記映像出力のための動作のオン・オフ状態を示す信号に応じて前記映像処理部を動作状態又は非動作状態に制御する映像処理制御部を備えたことを特徴とする請求項４に記載のリモコン装置。
【請求項６】
前記被操作装置は、前記電波送信部による音声信号送信を行うものであって、
前記赤外線送信部より、前記電波送信部による音声信号送信動作のオン指令又はオフ指令を示す信号を送信させる音声指令制御部を備えたことを特徴とする請求項１から５いずれか１項に記載のリモコン装置。
【請求項７】
前記被操作装置は、前記電波送信部による映像信号送信を行うものであって、
前記赤外線送信部より、前記電波送信部による映像信号送信動作のオン指令又はオフ指令を示す信号を送信させる映像指令制御部を備えたことを特徴とする請求項１から６いずれか１項に記載のリモコン装置。
【請求項８】
前記電波送信部より送信され、前記電波受信部において受信された電波信号から、アラーム出力要求を示す信号を取得し、アラームの出力を行うアラーム処理部を備えたことを特徴とする請求項１から７いずれか１項に記載のリモコン装置。
【請求項９】
赤外線信号を受信する赤外線受信部と、
電波信号を送信する電波送信部とを有し、
赤外線信号を送信する赤外線送信部と、電波信号を受信する電波受信部とを有するリモコン装置からの遠隔指令を受信する被操作装置であって、
前記電波送信部は、スペクトル拡散を施した電波信号を送信することを特徴とする被操作装置。
【請求項１０】
前記電波送信部による音声信号送信を行うことを特徴とする請求項９に記載の被操作装置。
【請求項１１】
前記赤外線送信部より送信され、前記赤外線受信部において受信された赤外線信号から、前記電波送信部による音声信号送信動作のオン指令又はオフ指令を示す信号を取得し、
前記電波送信部による音声信号送信動作のオン指令又はオフ指令を示す信号に応じて前記電波送信部による音声信号送信動作のオン・オフ制御を行う音声送信制御部を備えたことを特徴とする請求項１０に記載の被操作装置。
【請求項１２】
前記電波送信部による映像信号送信を行うことを特徴とする請求項９から１１いずれか１項に記載の被操作装置。
【請求項１３】
前記赤外線送信部より送信され、前記赤外線受信部において受信された赤外線信号から、前記電波送信部による映像信号送信動作のオン指令又はオフ指令を示す信号を取得し、
前記電波送信部による映像信号送信動作のオン指令又はオフ指令を示す信号に応じて前記電波送信部による映像信号送信動作のオン・オフ制御を行う映像送信制御部を備えたことを特徴とする請求項１２に記載の被操作装置。
【請求項１４】
音声出力のための動作を行う被操作装置であって、
前記電波送信部より、前記音声出力のための動作のオン・オフ状態を示す信号を送信させる音声状態制御部を備えたことを特徴とする請求項９から１３いずれか１項に記載の被操作装置。
【請求項１５】
映像出力のための動作を行う被操作装置であって、
前記電波送信部より、前記映像出力のための動作のオン・オフ状態を示す信号を送信させる映像状態制御部を備えたことを特徴とする請求項９から１４いずれか１項に記載の被操作装置。
【請求項１６】
前記電波送信部より、アラーム出力要求を示す信号を送信させるアラーム制御部を備えたことを特徴とする請求項９から１５いずれか１項に記載の被操作装置。
【請求項１７】
請求項１から８いずれか１項に記載のリモコン装置と、
請求項９から１６いずれか１項に記載の被操作装置とを備えたことを特徴とするリモコンシステム。
【発明の詳細な説明】
【技術分野】
【０００１】
本発明は、リモコン装置、被操作装置及びリモコンシステムに関する。
【背景技術】
【０００２】
世間一般に広く普及している音声出力装置や映像出力装置などの電子機器は、電子機器本体から離れた位置での電子機器本体の操作を可能とするために、リモコンシステムを有するものが多い。
【０００３】
図７は、従来のリモコンシステムを有するテレビジョン受像機９００の概略の構成を示すブロック図である。テレビジョン受像機９００は、テレビジョン受像機本体９１０と、リモコン装置９２０とを有する。また、テレビジョン受像機本体９１０には、アンテナ９３０が接続されている。
【０００４】
テレビジョン受像機本体９１０は、受信部９１１と、音声信号処理部９１２と、映像信号処理部９１３と、音声出力部９１４と、映像出力部９１５と、赤外線受信部９１６と、制御部９１７とを有する。
【０００５】
テレビジョン受像機本体９１０による、放送信号受信時の処理の流れは以下の通りである。まず、受信部９１１が、アンテナ９３０を介して放送信号を受信する。ここで、受信部９１１は、所望の周波数の信号を選出するためのチューナとしての機能を有している。そして、受信部９１１は、受信した放送信号から音声信号と、映像信号とを抽出し、音声信号を音声信号処理部９１２へ、映像信号を映像信号処理部９１３へ、それぞれ伝達する。
【０００６】
音声信号処理部９１２は、受信部９１１から伝達された音声信号に増幅などの各種信号処理を施し、音声出力部９１４へ伝達する。すると、音声出力部９１４によって、音声信号処理部９１２から伝達された音声信号に基づく音声出力が行われる。つまり、音声出力部９１４は、スピーカなどの音声出力機構を有するものである。
【０００７】
映像信号処理部９１３は、受信部９１１から伝達された映像信号に増幅などの各種信号処理を施し、映像出力部９１５へ伝達する。すると、映像出力部９１５によって、映像信号処理部９１３から伝達された映像信号に基づく映像出力が行われる。つまり、映像出力部９１５は、ディスプレイなどの映像出力機構を有するものである。
【０００８】
赤外線受信部９１６は、リモコン装置９２０からの赤外線信号を受信し、これを電気信号に変換して制御部９１７へ伝達する。
【０００９】
制御部９１７は、受信部９１１と、音声信号処理部９１２と、映像信号処理部９１３と、赤外線受信部９１６とに接続され、これらに対して制御指示信号を伝達することで、各種動作を実行させる。
【００１０】
リモコン装置９２０は、キー操作部９２１と、赤外線送信部９２２と、制御部９２３とを有する。
【００１１】
キー操作部９２１は、ユーザによって押下される各種の入力キーを有し、ユーザによる入力キーの押下に応じた電気信号を、制御部９２３へ伝達する。
【００１２】
赤外線送信部９２２は、制御部９２３から伝達された制御指示信号に応じて、テレビジョン受像機本体９１０への赤外線信号の送信を行う。
【００１３】
制御部９２３は、キー操作部９２１と、赤外線送信部９２２とに接続され、これらに対して制御指示信号を伝達することで、各種動作を実行させる。
【００１４】
このリモコンシステムに関連する発明は以前より多数なされており、特許文献１及び特許文献２にその例を見ることができる。
【００１５】
特許文献１に記載の発明は、電気機器本機（被操作装置）の収納部に収納されたときに、充電が行われる充電式ワイヤレスリモコン（リモコン装置）に関するものである。これによると、充電のし忘れによるトラブルを防止でき、また、電池交換が不要であることから、電池交換時の誤操作によるトラブルが防止できる。
【００１６】
特許文献２に記載の発明は、遠隔指令を送信するリモコン送信機（リモコン装置）と、遠隔指令を受信して応答結果を返信するリモコン受信器（被操作装置）とからなる双方向リモコンシステムにおいて、遠隔指令と、応答結果とのうちの一方の送信媒体を赤外線とし、他方を電波とする双方向リモコンシステム（リモコンシステム）に関するものである。これによると、指向性の高い赤外線と、無指向性の電波とをシステム体型に合わせて活用できるとともに、遠隔指令と、応答結果との混同を完全に排除できる。
【特許文献１】特開平３−０６０５９８号公報
【特許文献２】実開平１−１７７６８０号公報
【発明の開示】
【発明が解決しようとする課題】
【００１７】
しかしながら、特許文献１に記載のリモコン装置は、被操作装置から送信された情報を受信できるものではない。
【００１８】
また、特許文献２に記載のリモコンシステムにおいては、被操作装置からリモコン装置へ送信される情報は、ＣＤに収録された楽曲の再生曲目番号や、曲目の再生経過を示す時間といった比較的容量の小さなものである。そして、ノイズや妨害波に対する耐性などの問題から、被操作装置からリモコン装置へ大容量の情報を高品質に送信することは困難である。
【００１９】
上記の問題点を鑑みて、本発明においては、被操作装置からリモコン装置へ大容量の情報を高品質に送信することができるリモコンシステムに用いられるリモコン装置と、被操作装置とを提供することを目的とする。また、本発明の他の目的は、被操作装置からリモコン装置へ大容量の情報を高品質に送信することができるリモコンシステムを提供することである。
【課題を解決するための手段】
【００２０】
本発明においては、リモコン装置は、赤外線信号を送信する赤外線送信部と、電波信号を受信する電波受信部とを有し、赤外線信号を受信する赤外線受信部と、電波信号を送信する電波送信部とを有する被操作装置に対する遠隔指令を行うリモコン装置であって、前記電波受信部は、前記電波送信部より送信された、スペクトル拡散が施された電波信号を受信し、該電波信号にスペクトル逆拡散を施すことを特徴とする。
【００２１】
本発明においては、上記構成のリモコン装置において、前記電波送信部より送信され、前記電波受信部において受信された電波信号から音声信号を取得し、該音声信号に基づく音声出力を行う音声処理部を備えることが望ましい。
【００２２】
本発明においては、上記構成のリモコン装置において、前記被操作装置は音声出力のための動作を行うものであって、前記電波送信部より送信され、前記電波受信部において受信された電波信号から、前記音声出力のための動作のオン・オフ状態を示す信号を取得し、前記音声出力のための動作のオン・オフ状態を示す信号に応じて前記音声処理部を動作状態又は非動作状態に制御する音声処理制御部を備えたこととしてもよい。
【００２３】
本発明においては、上記構成のリモコン装置において、前記電波送信部より送信され、前記電波受信部において受信された電波信号から映像信号を取得し、該映像信号に基づく映像出力を行う映像処理部を備えることが望ましい。
【００２４】
本発明においては、上記構成のリモコン装置において、前記被操作装置は映像出力のための動作を行うものであって、前記電波送信部より送信され、前記電波受信部において受信された電波信号から、前記映像出力のための動作のオン・オフ状態を示す信号を取得し、前記映像出力のための動作のオン・オフ状態を示す信号に応じて前記映像処理部を動作状態又は非動作状態に制御する映像処理制御部を備えたこととしてもよい。
【００２５】
本発明においては、上記構成のリモコン装置において、前記被操作装置は、前記電波送信部による音声信号送信を行うものであって、前記赤外線送信部より、前記電波送信部による音声信号送信動作のオン指令又はオフ指令を示す信号を送信させる音声指令制御部を備えることが望ましい。
【００２６】
本発明においては、上記構成のリモコン装置において、前記被操作装置は、前記電波送信部による映像信号送信を行うものであって、前記赤外線送信部より、前記電波送信部による映像信号送信動作のオン指令又はオフ指令を示す信号を送信させる映像指令制御部を備えることが望ましい。
【００２７】
本発明においては、上記構成のリモコン装置において、前記電波送信部より送信され、前記電波受信部において受信された電波信号から、アラーム出力要求を示す信号を取得し、アラームの出力を行うアラーム処理部を備えることが望ましい。
【００２８】
本発明においては、被操作装置は、赤外線信号を受信する赤外線受信部と、電波信号を送信する電波送信部とを有し、赤外線信号を送信する赤外線送信部と、電波信号を受信する電波受信部とを有するリモコン装置からの遠隔指令を受信する被操作装置であって、前記電波送信部は、スペクトル拡散を施した電波信号を送信することを特徴とする。
【００２９】
本発明においては、上記構成の被操作装置において、前記電波送信部による音声信号送信を行うことが望ましい。
【００３０】
本発明においては、上記構成の被操作装置において、前記赤外線送信部より送信され、前記赤外線受信部において受信された赤外線信号から、前記電波送信部による音声信号送信動作のオン指令又はオフ指令を示す信号を取得し、前記電波送信部による音声信号送信動作のオン指令又はオフ指令を示す信号に応じて前記電波送信部による音声信号送信動作のオン・オフ制御を行う音声送信制御部を備えることが望ましい。
【００３１】
本発明においては、上記構成の被操作装置において、前記電波送信部による映像信号送信を行うことが望ましい。
【００３２】
本発明においては、上記構成の被操作装置において、前記赤外線送信部より送信され、前記赤外線受信部において受信された赤外線信号から、前記電波送信部による映像信号送信動作のオン指令又はオフ指令を示す信号を取得し、前記電波送信部による映像信号送信動作のオン指令又はオフ指令を示す信号に応じて前記電波送信部による映像信号送信動作のオン・オフ制御を行う映像送信制御部を備えることが望ましい。
【００３３】
本発明においては、上記構成の被操作装置において、音声出力のための動作を行う被操作装置であって、前記電波送信部より、前記音声出力のための動作のオン・オフ状態を示す信号を送信させる音声状態制御部を備えたこととしてもよい。
【００３４】
本発明においては、上記構成の被操作装置において、映像出力のための動作を行う被操作装置であって、前記電波送信部より、前記映像出力のための動作のオン・オフ状態を示す信号を送信させる映像状態制御部を備えたこととしてもよい。
【００３５】
本発明においては、上記構成の被操作装置において、前記電波送信部より、アラーム出力要求を示す信号を送信させるアラーム制御部を備えることが望ましい。
【００３６】
本発明においては、リモコンシステムは、上記構成のリモコン装置と、上記構成の被操作装置とを備えたことを特徴とする。
【発明の効果】
【００３７】
本発明によると、被操作装置からリモコン装置へ大容量の情報を高品質に送信することができるリモコンシステムに用いられるリモコン装置と、被操作装置とが提供される。また、本発明によると、被操作装置からリモコン装置へ大容量の情報を高品質に送信することができるリモコンシステムが提供される。
【発明を実施するための最良の形態】
【００３８】
本発明の実施形態について、図面を用いて説明すれば以下の通りである。
【００３９】
（第１の実施形態）
図１は、本発明の第１の実施形態に係るテレビジョン受像機１００の概略の構成を示すブロック図である。テレビジョン受像機１００は、テレビジョン受像機本体１１０（被操作装置）と、リモコン装置１２０とを有する。また、テレビジョン受像機本体１１０には、アンテナ１３０が接続されている。
【００４０】
テレビジョン受像機本体１１０は、受信部１１１と、音声信号処理部１１２と、映像信号処理部１１３と、音声出力部１１４と、映像出力部１１５と、赤外線受信部１１６と、電波送信部１１７と、キー操作部１１８と、制御部１１９（音声送信制御部、映像送信制御部、音声状態制御部、映像状態制御部、アラーム制御部）とを有する。
【００４１】
テレビジョン受像機本体１１０による、放送信号受信時の処理の流れは以下の通りである。まず、受信部１１１が、アンテナ１３０を介して放送信号を受信する。ここで、受信部１１１は、所望の周波数の信号を選出するためのチューナとしての機能を有している。そして、受信部１１１は、受信した放送信号から音声信号と、映像信号とを抽出し、音声信号を音声信号処理部１１２へ、映像信号を映像信号処理部１１３へ、それぞれ伝達する。
【００４２】
音声信号処理部１１２は、受信部１１１から伝達された音声信号に増幅などの各種信号処理を施し、音声出力部１１４へ伝達する。すると、音声出力部１１４によって、音声信号処理部１１２から伝達された音声信号に基づく音声出力が行われる。つまり、音声出力部１１４は、スピーカなどの音声出力機構を有するものである。
【００４３】
映像信号処理部１１３は、受信部１１１から伝達された映像信号に増幅などの各種信号処理を施し、映像出力部１１５へ伝達する。すると、映像出力部１１５によって、映像信号処理部１１３から伝達された映像信号に基づく映像出力が行われる。つまり、映像出力部１１５は、ディスプレイなどの映像出力機構を有するものである。
【００４４】
赤外線受信部１１６は、リモコン装置１２０からの赤外線信号を受信し、これを電気信号に変換して制御部１１９へ伝達する。
【００４５】
電波送信部１１７は、受信部１１１、制御部１１９から伝達された信号にスペクトル拡散を施し、電波信号として送信する。
【００４６】
キー操作部１１８は、ユーザによって押下される各種の入力キーを有し、ユーザによる入力キーの押下に応じた電気信号を、制御部１１９へ伝達する。
【００４７】
制御部１１９は、受信部１１１と、音声信号処理部１１２と、映像信号処理部１１３と、赤外線受信部１１６と、電波送信部１１７と、キー操作部１１８とに接続され、これらに対して制御指示信号を伝達することで、各種動作を実行させる。
【００４８】
一方、リモコン装置１２０は、電波受信部１２１と、音声処理部１２２と、映像処理部１２３と、電波制御部１２４（音声処理制御部、映像処理制御部）と、キー操作部１２５と、赤外線送信部１２６と、キー制御部１２７（音声指令制御部、映像指令制御部）と、電源部１２８とを有する。
【００４９】
テレビジョン受像機本体１１０からの、リモコン装置１２０への放送信号の転送の際の処理の流れは以下の通りである。まず、受信部１１１が、アンテナ１３０を介して放送信号を受信する。そして、受信部１１１は、受信した放送信号から音声信号と、映像信号とを抽出し、これらを電波送信部１１７へ伝達する。
【００５０】
電波送信部１１７は、受信部１１１から伝達された音声信号と、映像信号とに圧縮などの各種信号処理を施した後、スペクトル拡散を施し、電波信号として送信する。なお、地上波ディジタル放送の場合のように、放送信号が十分に圧縮されている場合などには、圧縮は行わないこととしてもよい。この場合、電波送信部１１７の回路構成の簡略化、消費電力の低減が可能である。
【００５１】
電波受信部１２１は、電波送信部１１７からの、スペクトル拡散が施された電波信号を受信し、該電波信号にスペクトル逆拡散を施し、音声信号を音声処理部１２２へ、映像信号を映像処理部１２３へ、それぞれ伝達する。
【００５２】
音声処理部１２２は、電波受信部１２１から伝達された音声信号に伸長や増幅などの各種信号処理を施し、音声出力を行う。つまり、音声処理部１２２は、スピーカなどの音声出力機構を有するものである。
【００５３】
映像処理部１２３は、電波受信部１２１から伝達された映像信号に伸長や増幅などの各種信号処理を施し、映像出力を行う。つまり、映像処理部１２３は、ディスプレイなどの映像出力機構を有するものである。
【００５４】
電波制御部１２４は、電波受信部１２１と、音声処理部１２２と、映像処理部１２３とに接続され、これらに対して制御指示信号を伝達することで、各種動作を実行させる。
【００５５】
キー操作部１２５は、ユーザによって押下される各種の入力キーを有し、ユーザによる入力キーの押下に応じた電気信号を、キー制御部１２７へ伝達する。
【００５６】
赤外線送信部１２６は、キー制御部１２７から伝達された制御指示信号に応じて、テレビジョン受像機本体１１０への赤外線信号の送信を行う。
【００５７】
キー制御部１２７は、キー操作部１２５と、赤外線送信部１２６とに接続され、これらに対して制御指示信号を伝達することで、各種動作を実行させる。
【００５８】
電源部１２８は、電波受信部１２１と、音声処理部１２２と、映像処理部１２３と、電波制御部１２４と、キー操作部１２５と、赤外線送信部１２６と、キー制御部１２７とに電源を供給するものである。
【００５９】
上記構成のテレビジョン受像機１００においては、テレビジョン受像機本体１１０の電波送信部１１７からの、リモコン装置１２０の電波受信部１２１への通信方式をスペクトル拡散方式としている。そのため、ノイズや妨害波に対する耐性が十分であり、テレビジョン受像機本体１１０の電波送信部１１７から、リモコン装置１２０の電波受信部１２１へ、テレビジョン受像機本体１１０が受信した放送信号のような大容量の情報を高品質に送信することができる。
【００６０】
また、上記構成のテレビジョン受像機１００においては、リモコン装置１２０は、音声出力を行う音声処理部１２２と、映像出力を行う映像処理部１２３とを備えている。そのため、テレビジョン受像機本体１１０からリモコン装置１２０に転送された放送信号に基づく音声出力と、映像出力とができる。
【００６１】
つまり、上記構成のテレビジョン受像機１００のリモコン装置１２０は、携帯型テレビジョン受像機のように扱うことができることとなる。
【００６２】
図７に示すような従来のテレビジョン受像機９００においては、音声は音声出力部９１４から出力され、映像は映像出力部９１５から出力される。そして、音声出力部９１４と、映像は映像出力部９１５との位置は、通常は固定されている。
【００６３】
そのため、ユーザは、音声や映像を視聴するためには、非常に限られた、音声聴取や映像視聴が可能な領域内にいる必要があった。また、音声については、音声聴取が可能な領域内にいたとしても、音声出力位置からの距離に応じて音量を大きくする必要がある。そのため、騒音が問題となることがあり、イヤホンやヘッドホンなどを用いるなどの対策がとられてきた。
【００６４】
しかしながら、本実施形態に係るテレビジョン受像機１００によると、リモコン装置１２０は、携帯型テレビジョン受像機のように扱うことができるので、図７に示すような従来のテレビジョン受像機９００の持つ上記問題点を解消できる。
【００６５】
つまり、本実施形態に係るテレビジョン受像機１００によると、ユーザは、手元にあるリモコン装置１２０によって音声や映像を視聴できることから、音声や映像を視聴するために、非常に限られた領域内にいる必要がなくなる。また、ユーザの手元にあるリモコン装置１２０による音声出力を行うことで、騒音が問題となることもなく、嫌う人も多いイヤホンやヘッドホンなどを不要とすることができる。
【００６６】
また、アンテナ１３０や受信部１１１などは、テレビジョン受像機本体１１０のものを利用することから、携帯型テレビジョン受像機を別に用意する場合に比べてコストが抑えられるという利点もある。
【００６７】
次に、電源部１２８の詳細について説明する。図２は、電源部１２８の概略の構成を示すブロック図である。電源部１２８は、電源Ａ１２８１と、電源Ｂ１２８２と、電源制御部１２８３とを有する。
【００６８】
電源Ａ１２８１は、通常時は、電波受信部１２１と、音声処理部１２２と、映像処理部１２３と、電波制御部１２４とに用いられる電源である。
【００６９】
電源Ｂ１２８２は、通常時は、キー操作部１２５と、赤外線送信部１２６と、キー制御部１２７とに用いられる電源である。
【００７０】
電源制御部１２８３は、電源Ａ１２８１と、電源Ｂ１２８２とに接続され、これらに対して制御指示信号を伝達することで、各種動作を実行させる。
【００７１】
つまり、電源Ａ１２８１は、テレビジョン受像機本体１１０からの電波信号の受信と、その後の処理とを行うための電源である。また、電源Ｂ１２８２は、テレビジョン受像機本体１１０への赤外線信号の送信を行うための電源である。
【００７２】
なお、ここでは、電源Ａ１２８１は、リモコン装置１２０に内蔵された充電可能な蓄電池であるとし、電源Ｂ１２８２は、乾電池であるとする。しかしながら、電源Ａ１２８１と、電源Ｂ１２８２とは、電源であれば何であっても構わない。例えば、電源Ａ１２８１と、電源Ｂ１２８２とは、共に乾電池であるとしてもよいし、電源Ａ１２８１と、電源Ｂ１２８２とは、共にリモコン装置１２０に内蔵された充電可能な蓄電池であるとしてもよい。また、電源Ａ１２８１や、電源Ｂ１２８２を太陽電池などとすることも可能である。
【００７３】
次に、電源制御部１２８３の制御手順について説明する。図３は、電源制御部１２８３の制御手順を示すフローチャートである。電源制御部１２８３は、動作中（Ｓ１４０）、電源Ａ１２８１の状態を検出する（Ｓ１４１）。そして、電源制御部１２８３は、次に、電源Ｂ１２８２の状態を検出する（Ｓ１４２、Ｓ１４３）。
【００７４】
そして、電源Ａ１２８１と、電源Ｂ１２８２とが共に電源切れ状態である場合には、そのまま終了する（Ｓ１４４）。また、電源Ａ１２８１が電源切れ状態であり、電源Ｂ１２８２が電源切れ状態でない場合には、電源制御部１２８３は、電源Ｂ１２８２を、通常時の、キー操作部１２５と、赤外線送信部１２６と、キー制御部１２７とのみならず、電波受信部１２１と、音声処理部１２２と、映像処理部１２３と、電波制御部１２４との電源としても機能させる（Ｓ１４５）。
【００７５】
また、電源Ａ１２８１が電源切れ状態でなく、電源Ｂ１２８２が電源切れ状態である場合には、電源制御部１２８３は、電源Ａ１２８１を、通常時の電波受信部１２１と、音声処理部１２２と、映像処理部１２３と、電波制御部１２４とのみならず、キー操作部１２５と、赤外線送信部１２６と、キー制御部１２７との電源としても機能させる（Ｓ１４６）。また、電源Ａ１２８１と、電源Ｂ１２８２とが共に電源切れ状態でない場合には、そのまま終了する（Ｓ１４７）。
【００７６】
上記構成の電源部１２８によると、電源Ａ１２８１が電源切れ状態であり、電源Ｂ１２８２が電源切れ状態でない場合に、電源制御部１２８３は、電源Ｂ１２８２を、通常時の、キー操作部１２５と、赤外線送信部１２６と、キー制御部１２７とのみならず、電波受信部１２１と、音声処理部１２２と、映像処理部１２３と、電波制御部１２４との電源としても機能させる。そのため、電源Ａ１２８１が電源切れ状態であっても、電源Ｂ１２８２が電源切れ状態でなければ、リモコン装置１２０による、テレビジョン受像機本体１１０からの電波信号の受信と、その後の処理とを行うことができる。
【００７７】
また、上記構成の電源部１２８によると、電源Ａ１２８１が電源切れ状態でなく、電源Ｂ１２８２が電源切れ状態である場合に、電源制御部１２８３は、電源Ａ１２８１を、通常時の電波受信部１２１と、音声処理部１２２と、映像処理部１２３と、電波制御部１２４とのみならず、キー操作部１２５と、赤外線送信部１２６と、キー制御部１２７との電源としても機能させる。そのため、電源Ｂ１２８２が電源切れ状態であっても、電源Ａ１２８１が電源切れ状態でなければ、リモコン装置１２０による、テレビジョン受像機本体１１０への赤外線信号の送信ができる。
【００７８】
なお、リモコン装置１２０の電波制御部１２４は、以下のような制御を行うこととしてもよい。図４は、電波制御部１２４の制御手順の一例を示すフローチャートである。ここで、制御部１１９は、音声信号処理部１１２に、音声出力部１１４による音声出力動作のオン・オフ状態を示す信号を所定の間隔で生成させ、電波送信部１１７へ伝達させるものとする。また、制御部１１９は、映像信号処理部１１３に、映像出力部１１５による映像出力動作のオン・オフ状態を示す信号を所定の間隔で生成させ、電波送信部１１７へ伝達させるものとする。そして、制御部１１９は、電波送信部１１７が、音声出力部１１４による音声出力動作のオン・オフ状態を示す信号と、映像出力部１１５による映像出力動作のオン・オフ状態を示す信号とにスペクトル拡散を施し、電波信号として送信するように制御する。
【００７９】
そして、電波受信部１２１は、電波送信部１１７からの、スペクトル拡散が施された電波信号を受信し、該電波信号にスペクトル逆拡散を施し、得られた音声出力部１１４による音声出力動作のオン・オフ状態を示す信号と、映像出力部１１５による映像出力動作のオン・オフ状態を示す信号とを電波制御部１２４へ伝達する。
【００８０】
音声出力部１１４による音声出力動作のオン・オフ状態を示す信号と、映像出力部１１５による映像出力動作のオン・オフ状態を示す信号とが伝達されると（Ｓ１５０）、電波制御部１２４は、まず、音声出力部１１４による音声出力動作のオン・オフ状態を検出する（Ｓ１５１）。そして、電波制御部１２４は、次に、映像出力部１１５による映像出力動作のオン・オフ状態を検出する（Ｓ１５２、Ｓ１５３）。
【００８１】
そして、音声出力部１１４による音声出力動作と、映像出力部１１５による映像出力動作とが共にオン状態である場合には、電波制御部１２４は、音声処理部１２２と、映像処理部１２３とを共に非動作状態に制御する（Ｓ１５４）。また、音声出力部１１４による音声出力動作がオン状態であり、映像出力部１１５による映像出力動作がオフ状態である場合には、電波制御部１２４は、音声処理部１２２を非動作状態に、映像処理部１２３を動作状態に制御する（Ｓ１５５）。
【００８２】
また、音声出力部１１４による音声出力動作がオフ状態であり、映像出力部１１５による映像出力動作がオン状態である場合には、電波制御部１２４は、音声処理部１２２を動作状態に、映像処理部１２３を非動作状態に制御する（Ｓ１５６）。また、音声出力部１１４による音声出力動作と、映像出力部１１５による映像出力動作とが共にオフ状態である場合には、電波制御部１２４は、音声処理部１２２と、映像処理部１２３とを共に動作状態に制御する（Ｓ１５７）。
【００８３】
上記構成のテレビジョン受像機１００においては、電波制御部１２４は、音声出力部１１４による音声出力動作がオフ状態である場合には、音声処理部１２２を動作状態に、音声出力部１１４による音声出力動作がオン状態である場合には、音声処理部１２２を非動作状態に制御する。
【００８４】
つまり、音声出力部１１４と、音声処理部１２２とのうちの一方のみから音声が出力されることとなる。そして、通常のユーザにとっては、音声出力部１１４と、音声処理部１２２とのうちの一方のみから音声が出力されれば十分である。そのため、音声出力部１１４と、音声処理部１２２との両方から音声が出力されることがなく、無駄な消費電力を抑えることができる。
【００８５】
また、上記構成のテレビジョン受像機１００においては、電波制御部１２４は、映像出力部１１５による映像出力動作がオフ状態である場合には、映像処理部１２３を動作状態に、映像出力部１１５による映像出力動作がオン状態である場合には、映像処理部１２３を非動作状態に制御する。
【００８６】
つまり、映像出力部１１５と、映像処理部１２３とのうちの一方のみから映像が出力されることとなる。そして、通常のユーザにとっては、映像出力部１１５と、映像処理部１２３とのうちの一方のみから映像が出力されれば十分である。そのため、映像出力部１１５と、映像処理部１２３との両方から映像が出力されることがなく、無駄な消費電力を抑えることができる。
【００８７】
なお、上記構成のテレビジョン受像機１００においては、電波制御部１２４は、音声出力部１１４による音声出力動作がオフ状態である場合には、音声処理部１２２を動作状態に、音声出力部１１４による音声出力動作がオン状態である場合には、音声処理部１２２を非動作状態に、映像出力部１１５による映像出力動作がオフ状態である場合には、映像処理部１２３を動作状態に、映像出力部１１５による映像出力動作がオン状態である場合には、映像処理部１２３を非動作状態に制御することとした。
【００８８】
しかしながら、電波制御部１２４は、音声出力部１１４による音声出力動作がオフ状態である場合、あるいは、映像出力部１１５による映像出力動作がオフ状態である場合に、音声処理部１２２と、映像処理部１２３とを共に動作状態に制御することとしてもよい。
【００８９】
なお、リモコン装置１２０のキー操作部１２５は、電波送信部１１７による音声信号送信動作のオン指令又はオフ指令を入力する音声指令キーと、電波送信部１１７による映像信号送信動作のオン指令又はオフ指令を入力する映像指令キーとを備えたこととしてもよい。
【００９０】
そして、ユーザが、音声指令キーによって、電波送信部１１７による音声信号送信動作のオン指令を入力すると、上記指令に対応したキー操作部１２５からの電気信号がキー制御部１２７へ伝達される。すると、キー制御部１２７は、赤外線送信部１２６に、上記指令に対応した赤外線信号の送信を行わせる。そして、赤外線受信部１１６は、赤外線送信部１２６からの、上記指令に対応した赤外線信号を受信し、これを電気信号に変換して制御部１１９へ伝達する。
【００９１】
すると、制御部１１９は、上記指令に対応した制御指示信号を、受信部１１１と、電波送信部１１７とへ伝達する。すると、受信部１１１は、受信した放送信号から音声信号を抽出し、電波送信部１１７へ伝達する。そして、電波送信部１１７は、受信部１１１から伝達された音声信号に圧縮などの各種信号処理を施した後、スペクトル拡散を施し、電波信号として送信する。なお、地上波ディジタル放送の場合のように、放送信号が十分に圧縮されている場合などには、圧縮は行わないこととしてもよい。この場合、電波送信部１１７の回路構成の簡略化、消費電力の低減が可能である。
【００９２】
一方、ユーザが、音声指令キーによって、電波送信部１１７による音声信号送信動作のオフ指令を入力すると、上記指令に対応したキー操作部１２５からの電気信号がキー制御部１２７へ伝達される。すると、キー制御部１２７は、赤外線送信部１２６に、上記指令に対応した赤外線信号の送信を行わせる。そして、赤外線受信部１１６は、赤外線送信部１２６からの、上記指令に対応した赤外線信号を受信し、これを電気信号に変換して制御部１１９へ伝達する。
【００９３】
すると、制御部１１９は、上記指令に対応した制御指示信号を、受信部１１１と、電波送信部１１７とへ伝達する。すると、受信部１１１と、電波送信部１１７とによる、音声信号送信動作が停止される。
【００９４】
また、ユーザが、映像指令キーによって、電波送信部１１７による映像信号送信動作のオン指令を入力すると、上記指令に対応したキー操作部１２５からの電気信号がキー制御部１２７へ伝達される。すると、キー制御部１２７は、赤外線送信部１２６に、上記指令に対応した赤外線信号の送信を行わせる。そして、赤外線受信部１１６は、赤外線送信部１２６からの、上記指令に対応した赤外線信号を受信し、これを電気信号に変換して制御部１１９へ伝達する。
【００９５】
すると、制御部１１９は、上記指令に対応した制御指示信号を、受信部１１１と、電波送信部１１７とへ伝達する。すると、受信部１１１は、受信した放送信号から映像信号を抽出し、電波送信部１１７へ伝達する。そして、電波送信部１１７は、受信部１１１から伝達された映像信号に圧縮などの各種信号処理を施した後、スペクトル拡散を施し、電波信号として送信する。なお、地上波ディジタル放送の場合のように、放送信号が十分に圧縮されている場合などには、圧縮は行わないこととしてもよい。この場合、電波送信部１１７の回路構成の簡略化、消費電力の低減が可能である。
【００９６】
一方、ユーザが、映像指令キーによって、電波送信部１１７による映像信号送信動作のオフ指令を入力すると、上記指令に対応したキー操作部１２５からの電気信号がキー制御部１２７へ伝達される。すると、キー制御部１２７は、赤外線送信部１２６に、上記指令に対応した赤外線信号の送信を行わせる。そして、赤外線受信部１１６は、赤外線送信部１２６からの、上記指令に対応した赤外線信号を受信し、これを電気信号に変換して制御部１１９へ伝達する。
【００９７】
すると、制御部１１９は、上記指令に対応した制御指示信号を、受信部１１１と、電波送信部１１７とへ伝達する。すると、受信部１１１と、電波送信部１１７とによる、映像信号送信動作が停止される。
【００９８】
上記構成のテレビジョン受像機１００においては、ユーザが、音声指令キーによって、電波送信部１１７による音声信号送信動作のオン指令又はオフ指令を入力すると、制御部１１９は、上記指令に応じた制御を行う。つまり、ユーザが、リモコン装置１２０から、電波送信部１１７による音声信号送信動作のオン指令又はオフ指令を行うことができることとなり、利便性が向上する。
【００９９】
上記構成のテレビジョン受像機１００においては、ユーザが、映像指令キーによって、電波送信部１１７による映像信号送信動作のオン指令又はオフ指令を入力すると、制御部１１９は、上記指令に応じた制御を行う。つまり、ユーザが、リモコン装置１２０から、電波送信部１１７による映像信号送信動作のオン指令又はオフ指令を行うことができることとなり、利便性が向上する。
【０１００】
なお、テレビジョン受像機本体１１０のキー操作部１１８は、リモコン装置１２０へのアラーム出力要求を入力するアラーム入力キーを備えたこととしてもよい。
【０１０１】
そして、ユーザが、アラーム入力キーによって、リモコン装置１２０へのアラーム出力要求を入力すると、上記要求に対応したキー操作部１１８からの電気信号が制御部１１９へ伝達される。すると、制御部１１９は、制御部１１９内の不図示のメモリに記憶されたアラーム出力要求を示す信号を電波送信部１１７へ伝達する。そして、制御部１１９は、電波送信部１１７が、アラーム出力要求を示す信号にスペクトル拡散を施し、電波信号として送信するように制御する。
【０１０２】
そして、電波受信部１２１は、電波送信部１１７からの、スペクトル拡散が施された電波信号を受信し、該電波信号にスペクトル逆拡散を施し、得られたアラーム出力要求を示す信号を電波制御部１２４へ伝達する。すると、電波制御部１２４は、電波制御部１２４内の不図示のメモリに記憶されたアラームの音声信号を、音声処理部１２２へ伝達する。そして、音声処理部１２２によってアラームの出力がなされる。つまり、電波制御部１２４と、音声処理部１２２とによって、アラーム処理部が構成されることとなる。
【０１０３】
上記構成のテレビジョン受像機１００においては、ユーザが、アラーム入力キーによって、リモコン装置１２０へのアラーム出力要求を入力すると、電波制御部１２４は、上記要求に応じた制御を行う。つまり、ユーザが、テレビジョン受像機本体１１０から、リモコン装置１２０へのアラーム出力要求を行うことができることとなる。
【０１０４】
そのため、リモコン装置１２０の所在が不明となった場合でも、テレビジョン受像機本体１１０から、リモコン装置１２０へのアラーム出力要求を行うことができるので、アラームを頼りにリモコン装置を探索することができる。
【０１０５】
（第２の実施形態）
図５は、本発明の第２の実施形態に係るビデオ再生機２００の概略の構成を示すブロック図である。ビデオ再生機２００は、ビデオ再生機本体２１０（被操作装置）と、リモコン装置１２０とを有する。また、ビデオ再生機本体２１０には、ビデオカセット２３０が挿入されている。なお、本実施形態に係るビデオ再生機２００のリモコン装置１２０の構成は、第１の実施形態に係るテレビジョン受像機１００のリモコン装置１２０の構成と同一であるので共通の符号を付し、説明を省略する。
【０１０６】
ビデオ再生機本体２１０は、ヘッド２１１と、音声信号処理部２１２と、映像信号処理部２１３と、音声出力処理部２１４と、映像出力処理部２１５と、赤外線受信部２１６と、電波送信部２１７と、キー操作部２１８と、制御部２１９（音声送信制御部、映像送信制御部、音声状態制御部、映像状態制御部、アラーム制御部）とを有する。
【０１０７】
ビデオ再生機本体２１０による、ビデオカセット２３０に記録されたビデオ記録信号の再生時の処理の流れは以下の通りである。まず、ヘッド２１１が、ビデオカセット２３０に記録されたビデオ記録信号を読み取り、音声信号を音声信号処理部２１２へ、映像信号を映像信号処理部２１３へ、それぞれ伝達する。
【０１０８】
音声信号処理部２１２は、ヘッド２１１から伝達された音声信号に増幅などの各種信号処理を施し、音声出力処理部２１４へ伝達する。すると、音声出力処理部２１４から、不図示の外部の音声出力装置への音声信号の伝達が行われる。
【０１０９】
映像信号処理部２１３は、ヘッド２１１から伝達された映像信号に増幅などの各種信号処理を施し、映像出力処理部２１５へ伝達する。すると、映像出力処理部２１５から、不図示の外部の映像出力装置への映像信号の伝達が行われる。
【０１１０】
赤外線受信部２１６は、リモコン装置１２０からの赤外線信号を受信し、これを電気信号に変換して制御部２１９へ伝達する。
【０１１１】
電波送信部２１７は、ヘッド２１１、制御部２１９から伝達された信号にスペクトル拡散を施し、電波信号として送信する。
【０１１２】
キー操作部２１８は、ユーザによって押下される各種の入力キーを有し、ユーザによる入力キーの押下に応じた電気信号を、制御部２１９へ伝達する。
【０１１３】
制御部２１９は、ヘッド２１１と、音声信号処理部２１２と、映像信号処理部２１３と、赤外線受信部２１６と、電波送信部２１７と、キー操作部２１８とに接続され、これらに対して制御指示信号を伝達することで、各種動作を実行させる。
【０１１４】
ビデオ再生機本体２１０からの、リモコン装置１２０へのビデオ記録信号の転送の際の処理の流れは以下の通りである。まず、ヘッド２１１が、ビデオカセット２３０に記録されたビデオ記録信号を読み取り、音声信号と、映像信号とを電波送信部２１７へ伝達する。
【０１１５】
電波送信部２１７は、ヘッド２１１から伝達された音声信号と、映像信号とに圧縮などの各種信号処理を施した後、スペクトル拡散を施し、電波信号として送信する。なお、ビデオ記録信号が十分に圧縮されている場合などには、圧縮は行わないこととしてもよい。この場合、電波送信部２１７の回路構成の簡略化、消費電力の低減が可能である。
【０１１６】
電波受信部１２１は、電波送信部２１７からの、スペクトル拡散が施された電波信号を受信し、該電波信号にスペクトル逆拡散を施し、音声信号を音声処理部１２２へ、映像信号を映像処理部１２３へ、それぞれ伝達する。
【０１１７】
音声処理部１２２は、電波受信部１２１から伝達された音声信号に伸長や増幅などの各種信号処理を施し、音声出力を行う。
【０１１８】
映像処理部１２３は、電波受信部１２１から伝達された映像信号に伸長や増幅などの各種信号処理を施し、映像出力を行う。
【０１１９】
上記構成のビデオ再生機２００においては、ビデオ再生機本体２１０の電波送信部２１７からの、リモコン装置１２０の電波受信部１２１への通信方式をスペクトル拡散方式としている。そのため、ノイズや妨害波に対する耐性が十分であり、ビデオ再生機本体２１０の電波送信部２１７から、リモコン装置１２０の電波受信部１２１へ、ビデオ再生機本体２１０が読み取った、ビデオカセット２３０に記録されたビデオ記録信号のような大容量の情報を高品質に送信することができる。
【０１２０】
また、上記構成のビデオ再生機２００においては、リモコン装置１２０は、音声出力を行う音声処理部１２２と、映像出力を行う映像処理部１２３とを備えている。そのため、ビデオ再生機本体２１０からリモコン装置１２０に転送されたビデオ記録信号に基づく音声出力と、映像出力とができる。
【０１２１】
そのため、外部の音声出力装置と、外部の映像出力装置とが無くとも、ビデオカセット２３０に記録されたビデオ記録信号に基づく音声出力と、映像出力とができることとなり、利便性が向上する。
【０１２２】
また、従来のビデオ再生機においては、音声は外部の音声出力装置から出力され、映像は外部の映像出力装置から出力される。そして、外部の音声出力装置と、外部の映像出力装置との位置は、通常は固定されている。
【０１２３】
そのため、ユーザは、音声や映像を視聴するためには、非常に限られた、音声聴取や映像視聴が可能な領域内にいる必要があった。また、音声については、音声聴取が可能な領域内にいたとしても、音声出力位置からの距離に応じて音量を大きくする必要がある。そのため、騒音が問題となることがあり、イヤホンやヘッドホンなどを用いるなどの対策がとられてきた。
【０１２４】
しかしながら、本実施形態に係るビデオ再生機２００によると、リモコン装置１２０による音声出力と、映像出力とができるので、従来のビデオ再生機の持つ上記問題点を解消できる。
【０１２５】
つまり、本実施形態に係るビデオ再生機２００によると、ユーザは、手元にあるリモコン装置１２０によって音声や映像を視聴できることから、音声や映像を視聴するために、非常に限られた領域内にいる必要がなくなる。また、ユーザの手元にあるリモコン装置１２０による音声出力を行うことで、騒音が問題となることもなく、嫌う人も多いイヤホンやヘッドホンなどを不要とすることができる。
【０１２６】
なお、本実施形態に係るビデオ再生機２００の電源部１２８は、図２に示される、第１の実施形態に係るテレビジョン受像機１００の電源部１２８と同様のものである。そして、電源部１２８を備えたことによって奏する作用・効果も、第１の実施形態に係るテレビジョン受像機１００の場合と同様である。
【０１２７】
なお、本実施形態に係るビデオ再生機２００においては、第１の実施形態に係るテレビジョン受像機１００と同様に、制御部２１９は、電波送信部２１７より、音声出力処理部２１４による音声出力処理動作と、映像出力処理部２１５による映像出力処理動作とのオン・オフ状態を示す信号を送信させる制御を行い、電波制御部１２４は、電波受信部１２１において受信された電波信号から、音声出力処理部２１４による音声出力処理動作と、映像出力処理部２１５による映像出力処理動作とのオン・オフ状態を示す信号を取得し、音声出力処理部２１４による音声出力処理動作と映像出力処理部２１５による映像出力処理動作とのオン・オフ状態を示す信号に応じて音声処理部１２２と、映像処理部１２３とを動作状態又は非動作状態に制御することとしてもよい。この場合に奏する作用・効果も、第１の実施形態に係るテレビジョン受像機１００の場合と同様である。
【０１２８】
なお、本実施形態に係るビデオ再生機２００においては、第１の実施形態に係るテレビジョン受像機１００と同様に、キー制御部１２７は、赤外線送信部１２６より、電波送信部２１７による音声信号送信動作と、映像信号送信動作とのオン指令又はオフ指令を示す信号を送信させ、制御部２１９は、赤外線受信部２１６において受信された赤外線信号から、電波送信部２１７による音声信号送信動作と、映像信号送信動作とのオン指令又はオフ指令を示す信号を取得し、電波送信部２１７による音声信号送信動作と、映像信号送信動作とのオン指令又はオフ指令を示す信号に応じて、電波送信部２１７による音声信号送信動作と、映像信号送信動作とのオン・オフ制御を行うこととしてもよい。この場合に奏する作用・効果も、第１の実施形態に係るテレビジョン受像機１００の場合と同様である。
【０１２９】
なお、本実施形態に係るビデオ再生機２００においては、第１の実施形態に係るテレビジョン受像機１００と同様に、制御部２１９は、電波送信部２１７より、アラーム出力要求を示す信号を送信させ、電波制御部１２４は、電波受信部１２１において受信された電波信号から、アラーム出力要求を示す信号を取得し、電波制御部１２４内の不図示のメモリに記憶されたアラームの音声信号を、音声処理部１２２へ伝達し、音声処理部１２２によってアラームの出力がなされることとしてもよい。この場合に奏する作用・効果も、第１の実施形態に係るテレビジョン受像機１００の場合と同様である。
【０１３０】
（第３の実施形態）
図６は、本発明の第３の実施形態に係るＤＶＤプレーヤ３００の概略の構成を示すブロック図である。ＤＶＤプレーヤ３００は、ＤＶＤプレーヤ本体３１０（被操作装置）と、リモコン装置１２０とを有する。また、ＤＶＤプレーヤ本体３１０には、ＤＶＤ３３０が挿入されている。なお、本実施形態に係るＤＶＤプレーヤ３００のリモコン装置１２０の構成は、第１の実施形態に係るテレビジョン受像機１００のリモコン装置１２０の構成と同一であるので共通の符号を付し、説明を省略する。
【０１３１】
ＤＶＤプレーヤ本体３１０は、ピックアップ３１１と、音声信号処理部３１２と、映像信号処理部３１３と、音声出力処理部３１４と、映像出力処理部３１５と、赤外線受信部３１６と、電波送信部３１７と、キー操作部３１８と、制御部３１９（音声送信制御部、映像送信制御部、音声状態制御部、映像状態制御部、アラーム制御部）とを有する。
【０１３２】
ＤＶＤプレーヤ本体３１０による、ＤＶＤ３３０に記録されたディジタル記録信号の再生時の処理の流れは以下の通りである。まず、ピックアップ３１１が、ＤＶＤ３３０に記録されたディジタル記録信号を読み取り、音声信号を音声信号処理部３１２へ、映像信号を映像信号処理部３１３へ、それぞれ伝達する。
【０１３３】
音声信号処理部３１２は、ピックアップ３１１から伝達された音声信号に増幅などの各種信号処理を施し、音声出力処理部３１４へ伝達する。すると、音声出力処理部３１４から、不図示の外部の音声出力装置への音声信号の伝達が行われる。
【０１３４】
映像信号処理部３１３は、ピックアップ３１１から伝達された映像信号に増幅などの各種信号処理を施し、映像出力処理部３１５へ伝達する。すると、映像出力処理部３１５から、不図示の外部の映像出力装置への映像信号の伝達が行われる。
【０１３５】
赤外線受信部３１６は、リモコン装置１２０からの赤外線信号を受信し、これを電気信号に変換して制御部３１９へ伝達する。
【０１３６】
電波送信部３１７は、ピックアップ３１１、制御部３１９から伝達された信号にスペクトル拡散を施し、電波信号として送信する。
【０１３７】
キー操作部３１８は、ユーザによって押下される各種の入力キーを有し、ユーザによる入力キーの押下に応じた電気信号を、制御部３１９へ伝達する。
【０１３８】
制御部３１９は、ピックアップ３１１と、音声信号処理部３１２と、映像信号処理部３１３と、赤外線受信部３１６と、電波送信部３１７と、キー操作部３１８とに接続され、これらに対して制御指示信号を伝達することで、各種動作を実行させる。
【０１３９】
ＤＶＤプレーヤ本体３１０からの、リモコン装置１２０へのディジタル記録信号の転送の際の処理の流れは以下の通りである。まず、ピックアップ３１１が、ＤＶＤ３３０に記録されたディジタル記録信号を読み取り、音声信号と、映像信号とを電波送信部３１７へ伝達する。
【０１４０】
電波送信部３１７は、ピックアップ３１１から伝達された音声信号と、映像信号とに圧縮などの各種信号処理を施した後、スペクトル拡散を施し、電波信号として送信する。なお、ディジタル記録信号が十分に圧縮されている場合などには、圧縮は行わないこととしてもよい。この場合、電波送信部３１７の回路構成の簡略化、消費電力の低減が可能である。
【０１４１】
電波受信部１２１は、電波送信部３１７からの、スペクトル拡散が施された電波信号を受信し、該電波信号にスペクトル逆拡散を施し、音声信号を音声処理部１２２へ、映像信号を映像処理部１２３へ、それぞれ伝達する。
【０１４２】
音声処理部１２２は、電波受信部１２１から伝達された音声信号に伸長や増幅などの各種信号処理を施し、音声出力を行う。
【０１４３】
映像処理部１２３は、電波受信部１２１から伝達された映像信号に伸長や増幅などの各種信号処理を施し、映像出力を行う。
【０１４４】
上記構成のＤＶＤプレーヤ３００においては、ＤＶＤプレーヤ本体３１０の電波送信部３１７からの、リモコン装置１２０の電波受信部１２１への通信方式をスペクトル拡散方式としている。そのため、ノイズや妨害波に対する耐性が十分であり、ＤＶＤプレーヤ本体３１０の電波送信部３１７から、リモコン装置１２０の電波受信部１２１へ、ＤＶＤプレーヤ本体３１０が読み取った、ＤＶＤ３３０に記録されたディジタル記録信号のような大容量の情報を高品質に送信することができる。
【０１４５】
また、上記構成のＤＶＤプレーヤ３００においては、リモコン装置１２０は、音声出力を行う音声処理部１２２と、映像出力を行う映像処理部１２３とを備えている。そのため、ＤＶＤプレーヤ本体３１０からリモコン装置１２０に転送されたディジタル記録信号に基づく音声出力と、映像出力とができる。
【０１４６】
そのため、外部の音声出力装置と、外部の映像出力装置とが無くとも、ＤＶＤ３３０に記録されたディジタル記録信号に基づく音声出力と、映像出力とができることとなり、利便性が向上する。
【０１４７】
また、従来のＤＶＤプレーヤにおいては、音声は外部の音声出力装置から出力され、映像は外部の映像出力装置から出力される。そして、外部の音声出力装置と、外部の映像出力装置との位置は、通常は固定されている。
【０１４８】
そのため、ユーザは、音声や映像を視聴するためには、非常に限られた、音声聴取や映像視聴が可能な領域内にいる必要があった。また、音声については、音声聴取が可能な領域内にいたとしても、音声出力位置からの距離に応じて音量を大きくする必要がある。そのため、騒音が問題となることがあり、イヤホンやヘッドホンなどを用いるなどの対策がとられてきた。
【０１４９】
しかしながら、本実施形態に係るＤＶＤプレーヤ３００によると、リモコン装置１２０による音声出力と、映像出力とができるので、従来のＤＶＤプレーヤの持つ上記問題点を解消できる。
【０１５０】
つまり、本実施形態に係るＤＶＤプレーヤ３００によると、ユーザは、手元にあるリモコン装置１２０によって音声や映像を視聴できることから、音声や映像を視聴するために、非常に限られた領域内にいる必要がなくなる。また、ユーザの手元にあるリモコン装置１２０による音声出力を行うことで、騒音が問題となることもなく、嫌う人も多いイヤホンやヘッドホンなどを不要とすることができる。
【０１５１】
なお、本実施形態に係るＤＶＤプレーヤ３００の電源部１２８は、図２に示される、第１の実施形態に係るテレビジョン受像機１００の電源部１２８と同様のものである。そして、電源部１２８を備えたことによって奏する作用・効果も、第１の実施形態に係るテレビジョン受像機１００の場合と同様である。
【０１５２】
なお、本実施形態に係るＤＶＤプレーヤ３００においては、第１の実施形態に係るテレビジョン受像機１００と同様に、制御部３１９は、電波送信部３１７より、音声出力処理部３１４による音声出力処理動作と、映像出力処理部３１５による映像出力処理動作とのオン・オフ状態を示す信号を送信させる制御を行い、電波制御部１２４は、電波受信部１２１において受信された電波信号から、音声出力処理部３１４による音声出力処理動作と、映像出力処理部３１５による映像出力処理動作とのオン・オフ状態を示す信号を取得し、音声出力処理部３１４による音声出力処理動作と映像出力処理部３１５による映像出力処理動作とのオン・オフ状態を示す信号に応じて音声処理部１２２と、映像処理部１２３とを動作状態又は非動作状態に制御することとしてもよい。この場合に奏する作用・効果も、第１の実施形態に係るテレビジョン受像機１００の場合と同様である。
【０１５３】
なお、本実施形態に係るＤＶＤプレーヤ３００においては、第１の実施形態に係るテレビジョン受像機１００と同様に、キー制御部１２７は、赤外線送信部１２６より、電波送信部３１７による音声信号送信動作と、映像信号送信動作とのオン指令又はオフ指令を示す信号を送信させ、制御部３１９は、赤外線受信部３１６において受信された赤外線信号から、電波送信部３１７による音声信号送信動作と、映像信号送信動作とのオン指令又はオフ指令を示す信号を取得し、電波送信部３１７による音声信号送信動作と、映像信号送信動作とのオン指令又はオフ指令を示す信号に応じて、電波送信部３１７による音声信号送信動作と、映像信号送信動作とのオン・オフ制御を行うこととしてもよい。この場合に奏する作用・効果も、第１の実施形態に係るテレビジョン受像機１００の場合と同様である。
【０１５４】
なお、本実施形態に係るＤＶＤプレーヤ３００においては、第１の実施形態に係るテレビジョン受像機１００と同様に、制御部３１９は、電波送信部３１７より、アラーム出力要求を示す信号を送信させ、電波制御部１２４は、電波受信部１２１において受信された電波信号から、アラーム出力要求を示す信号を取得し、電波制御部１２４内の不図示のメモリに記憶されたアラームの音声信号を、音声処理部１２２へ伝達し、音声処理部１２２によってアラームの出力がなされることとしてもよい。この場合に奏する作用・効果も、第１の実施形態に係るテレビジョン受像機１００の場合と同様である。
【０１５５】
なお、本発明は上記の実施形態に限定されず、本発明の趣旨を逸脱しない範囲で、種々の変更が可能である。例えば、上記第１の実施形態、上記第２の実施形態、上記第３の実施形態においては、電波送信部１１７、電波送信部２１７、電波送信部３１７からの、電波受信部１２１への通信方式をスペクトル拡散方式とした。
【０１５６】
しかしながら、電波送信部１１７、電波送信部２１７、電波送信部３１７からの、電波受信部１２１への通信方式は、電波送信部１１７、電波送信部２１７、電波送信部３１７と、電波受信部１２１との双方に複数のアンテナを備えたＭＩＭＯ（Multiple-Input Multiple-Output）方式とすることも可能であるし、ＵＷＢ（Ultra Wide Band）方式とすることも可能である。
【産業上の利用可能性】
【０１５７】
本発明は、リモコン装置、被操作装置及びリモコンシステムとして有効である。
【図面の簡単な説明】
【０１５８】
【図１】本発明の第１の実施形態に係るテレビジョン受像機１００の概略の構成を示すブロック図。
【図２】本発明の第１の実施形態に係るテレビジョン受像機１００の電源部１２８の概略の構成を示すブロック図。
【図３】本発明の第１の実施形態に係るテレビジョン受像機１００の電源制御部１２８３の制御手順を示すフローチャート。
【図４】本発明の第１の実施形態に係るテレビジョン受像機１００の電波制御部１２４の制御手順の一例を示すフローチャート。
【図５】本発明の第２の実施形態に係るビデオ再生機２００の概略の構成を示すブロック図。
【図６】本発明の第３の実施形態に係るＤＶＤプレーヤ３００の概略の構成を示すブロック図。
【図７】従来のリモコンシステムを有するテレビジョン受像機９００の概略の構成を示すブロック図。
【符号の説明】
【０１５９】
１１０    テレビジョン受像機本体（被操作装置）
１１６、２１６、３１６    赤外線受信部
１１７、２１７、３１７    電波送信部
１１９、２１９、３１９    制御部（音声送信制御部、映像送信制御部、音声状態制御部、映像状態制御部、アラーム制御部）
１２０    リモコン装置
１２１    電波受信部
１２２    音声処理部
１２３    映像処理部
１２４    電波制御部（音声処理制御部、映像処理制御部）
１２６    赤外線送信部
１２７    キー制御部（音声指令制御部、映像指令制御部）
２１０    ビデオ再生機本体（被操作装置）
３１０    ＤＶＤプレーヤ本体（被操作装置）
【図１】
2007329540.tif 000003
【図２】
2007329540.tif 000004
【図３】
2007329540.tif 000005
【図４】
2007329540.tif 000006
【図５】
2007329540.tif 000007
【図６】
2007329540.tif 000008
【図７】
2007329540.tif 000009